(57)【要約】【課題】サイドモールの紛失や欠品をなくすとともに、施工性を向上させることを目的とする。【解決手段】図１に示すように、器具前面左右の側面には収納部８が設けられ、この収納部８に、スライド式のサイドモール７が収納される。サイドモール７は、図１に示した収納時に横から軽く一回矢印方向に押して手をはなすとロックが外れ、反対方向にスライドして収納部８から飛び出しモール突出状態となり器具前面の左右と前面開口５との間の隙間を塞ぐ。このように、サイドモール７を器具前面左右の側面に設けた収納部８に収納して器具本体と一体的に形成しているため、従来のように別部品としている場合と違い、紛失や欠品（未入梱）といった問題は生じない。【選択図】  図１
2004245444.tif 000002
【特許請求の範囲】
【請求項１】
キッチンユニットのカウンタトップに形成された上面開口に器具本体を上部から組み込んでカウンタ前面に形成された前面開口に器具前面をはめ込み、器具前面の左右と該前面開口との間に生じた隙間をサイドモールによって塞ぐビルトインこんろにおいて、
上記サイドモールは、器具本体の前面左右に設けられた収納部に収納されており、器具本体設置後に、該収納部から露出させて上記隙間を塞ぐことを特徴とするビルトインこんろ。
【請求項２】
上記サイドモールを器具前面の左右と上記前面開口との間に生じた隙間を塞ぐ方向に押圧する弾性体を備えたことを特徴とする請求項１記載のビルトインこんろ。
【発明の詳細な説明】
【０００１】
【発明の属する技術分野】
本発明は、キッチンユニットのカウンタトップに形成された上面開口に器具本体を上部から組み込むビルトインこんろに関する。
【０００２】
【従来の技術】
従来から、キッチンユニットのカウンタに一体で収納したビルトインこんろが知られている。このようなビルトインこんろ１０１では、図８，９に示すように、カウンタトップ１０２に設けた上面開口１０３より器具を落とし込み左右に張り出した器具の上端１０９をカウンタトップ１０２に引っ掛けることにより係止すると共に、器具前面をカウンタ前面１０４に設けた前面開口１０５にはめ込む。
この際、器具の横幅と前面開口１０５の横幅とに寸法差があり、器具を単に落とし込んで収納しただけでは、器具前面の左右と前面開口１０５との間に隙間Ｓが生じキッチンユニット素材がむきだしとなってしまうため、収納後さらに左右の隙間Ｓに正面より化粧板１０７（以下、サイドモール１０７と呼ぶ）を取り付ける。尚、前面開口１０５と上面開口１０３の横幅は規格で決まっており、前面開口１０５の方が上面開口１０３よりも横幅は大きい。このために、器具の横幅は、どうしても前面開口１０５の横幅よりも小さくなってしまう。
そして、特許文献１や特許文献２には、サイドモールの取り付けや取り外しが確実かつ簡単に行え、更に取り外しの際にサイドモールが変形しにくいビルトインこんろが提案されている。
【０００３】
【特許文献１】
特開平９−２８０５７４号公報
【特許文献２】
特開平１０−１１０９５７号公報
【０００４】
【発明が解決しようとする課題】
しかしながら、上述したようなビルトインこんろでは、いずれも、サイドモールを後付け部品として、本体梱包に同封しているため、紛失や欠品（未入梱）という問題があった。また、取り付けを容易にしているといっても、差し込みツメ折れ等の施工時の破損も依然として問題であった。更に、サイドモールを隙間内に落としてしまうこともあり、こうした場合では、落としたサイドモールを拾うために、器具本体をわざわざカウンタから取り外さねばならなかった。
本発明のビルトインこんろは上記課題を解決し、サイドモールの紛失や欠品をなくすとともに、施工性を向上させることを目的とする。
【０００５】
【課題を解決するための手段】
上記課題を解決する本発明の請求項１記載のビルトインこんろは、
キッチンユニットのカウンタトップに形成された上面開口に器具本体を上部から組み込んでカウンタ前面に形成された前面開口に器具前面をはめ込み、器具前面の左右と該前面開口との間に生じた隙間をサイドモールによって塞ぐビルトインこんろにおいて、
上記サイドモールは、器具本体の前面左右に設けられた収納部に収納されており、器具本体設置後に、該収納部から露出させて上記隙間を塞ぐことを要旨とする。
【０００６】
また、本発明の請求項２記載のビルトインこんろは、上記請求項１記載のビルトインこんろにおいて、
上記サイドモールを器具前面の左右と上記前面開口との間に生じた隙間を塞ぐ方向に押圧する弾性体を備えたことを要旨とする。
【０００７】
上記構成を有する本発明の請求項１記載のビルトインこんろは、カウンタトップに形成された上面開口に器具全体を上部から組み込んでカウンタ前面に形成された前面開口に器具前面をはめ込み、その後、器具本体の前面左右の収納部に収納されているサイドモールを露出させて、器具前面の左右と前面開口との間を塞いで外観を良くする。
そして、サイドモールは、収納部に収納されて器具本体と一体的に形成されているため、従来のように別部材としている場合と違い、紛失や欠品（未入梱）といった問題は生じない。
【０００８】
また、本発明の請求項２記載のビルトインこんろは、弾性体の付勢力によってサイドモールが収納部から器具前面の左右と前面開口との間に生じた隙間を塞ぐ方向に移動する。このため、収納部からサイドモールを露出させることが容易となり、施工性が向上する。更に、サイドモールは常に隙間を塞ぐ方向に押圧されるため、閉成状態が確実に維持される。
【０００９】
【発明の実施の形態】
以上説明した本発明の構成・作用を一層明らかにするために、以下本発明のビルトインこんろの好適な実施形態について説明する。
【００１０】
図５に示すように、本実施形態のビルトインこんろ１においては、キッチンユニットのカウンタトップ２に形成した四角形の上面開口３に器具本体を落とし込み器具本体の上端９をカウンタトップ２に引っ掛けて係止させると、カウンタ前面４に形成した前面開口５に器具前面がはまり込んで、操作パネル面６が前面開口５から顔を出す。器具本体をカウンタに組み込んだ後に、器具前面の左右に設けられた収納部８に収納されたサイドモール７を取り出して、器具前面の左右と前面開口５との間の隙間を塞ぐ。
【００１１】
ここで、サイドモール７の収納部８及び収納部８からの露出方法について説明する。
図１，２に示すように、器具前面左右の側面には収納部８が設けられ、この収納部８には、スライド式のサイドモール７が収納される。サイドモール７は、図１に示す収納状態において、横から軽く一回矢印方向に押して手を放すとロックが外れ、反対方向にスライドして図２に示すように、収納部８から飛び出しモール突出状態となり器具前面の左右と前面開口５との間の隙間を塞ぐ。
図２のモール突出状態時に横からサイドモール７を収納部８に押し込むと、サイドモール７はスライドしていって収納部８に入りそこで固定される。
【００１２】
このような押し操作の繰り返しによる収納状態とモール突出状態との繰り返しは、周知のハートカム機構１０により達成される。ハートカム機構１０は、収納部８内でサイドモール７と一体的に形成される。
ハートカム機構１０について図３，４を用いて簡単に説明する。尚、図３はサイドモール７が収納されている時の説明図であり、図４はサイドモール７がモール突出状態の時の説明図である。
ハートカム機構１０は、サイドモール７と一体に形成され略ハート形状等の複数の突起を備えたガイド部１１と、収納部８内に固定されガイド部１１のケーシングとなる箱体１２（図３，４中においては、箱体１２は点線で描いている）と、先端屈曲部１３ａをガイド部１１との係合部とし基端屈曲部１３ｂが箱体１２に支持された係合ピン１３と、ガイド部１１、すなわちサイドモール７をモール突出状態側に付勢する付勢バネ１４とからなる。
ガイド部１１は、中央の略ハート形状の第一突起１１ａと、この第一突起１１ａと所定の間隔をおいて形成された第二突起１１ｂと、第三突起１１ｃとを備える。第一突起１１ａには、サイドモール７の収納時において、係合ピン１３の先端屈曲部１３ａを係止させる係止部１１ｄが形成される。
【００１３】
係合ピン１３の先端屈曲部１３ａが係止部１１ｄに係止されている状態（サイドモール７の収納時）で、サイドモール７を付勢バネ１４の付勢力に反して軽く押すと、先端屈曲部１３ａと係止部１１ｄとの係止が外れる。この状態で手をはなすと先端屈曲部１３ａは第二突起１１ｂに導かれて第一突起１１ａの下側に移動する。ガイド部１１は付勢バネ１４によって、モール突出方向（図面右側）に付勢されているため、先端屈曲部１３ａと係止部１１ｄとの係止が外れるとサイドモール７は、モール突出位置に自動的に移動する。この際、係合ピン１３の先端屈曲部１３ａは、第一突起１１ａの下側を通過する。
一方、サイドモール７をモール突出状態から収納部８へ収納する場合は、モール突出状態のサイドモール７を付勢バネ１４の付勢力に逆らって、収納部８に押し込んでいくと、係合ピン１３の先端屈曲部１３ａは第一突起１１ａと第三突起１１ｃとの間を通過していく。そして、終端位置まで押し込んで手をはなすと先端屈曲部１３ａが第一突起１１ａの係止部１１ｄに係止されてサイドモール７は収納状態となる。
【００１４】
上述したビルトインこんろ１によれば、サイドモール７を器具前面左右の側面に設けた収納部８に収納して器具本体と一体的に形成しているため、従来のように別部品としている場合と違い、紛失や欠品（未入梱）といった問題は生じない。
更に、サイドモール７は、器具取付時には、収納部８に収納されているため、器具本体の横幅を、上面開口３や前面開口５よりも小さく形成でき、従来と同様に取付作業の邪魔にならない。
【００１５】
また、ワンタッチでサイドモール７を収納部８から取り出して、器具前面の左右と前面開口５との間の隙間を塞ぐことができ、施工性能が向上する。しかも、このようなサイドモール７の取り出しは、横から軽く一回押すだけなので、従来のように取り付けの際にサイドモール７を壊してしまったり、隙間に落としてしまうといった不都合も生じない。しかも、ビルトインこんろ１を取り外す場合には、サイドモール７を横から押し込むだけで簡単に収納できる。
更に、サイドモール７は付勢バネ１４によって隙間方向に、常に押圧されているため、モール突出状態を確実に維持できる。また、付勢バネ１４に押圧されたサイドモール７のスライドストロークを充分確保することにより、サイドモール７の側面が前面開口５の側面に確実に当接し、常に隙間をぴったりと閉じることができ見栄えが良い。
【００１６】
以上本発明の実施形態について説明したが、本発明はこうした実施形態に何等限定されるものではなく、本発明の要旨を逸脱しない範囲において、種々なる態様で実施し得ることは勿論である。
例えば、本実施形態では、サイドモール７を収納部８からスライド移動させて露出させるようにしているが、これに限ったものではなく、図６，７に示すように、回転移動によって露出させるように構成しても構わない。
【００１７】
この例のビルトインこんろ２０１では、器具前面の左右に設けられた軸２２０にサイドモール２０７が回動自在に軸支され、このサイドモール２０７が図示しないトルクバネによって、図６に示すように、隙間閉塞側（矢印方向）に付勢される。サイドモール２０７の裏面には、図示しないマグネットプレートが取り付けられており、このマグネットプレートの磁石の力でサイドモール２０７は器具側面（鉄板）にくっついて収納状態となる（図６）。
サイドモール２０７を取り出す場合は、隙間に指を入れて磁石の力よりも大きな力でサイドモール２０７を器具側面からはがすと、サイドモール２０７は、トルクバネの付勢力によって軸２２０を中心に回転移動する。そして、図示しないストッパにより回転移動が所定の位置（器具前面と同一平面上となる位置）で止められ、図７に示すようなモール突出状態となり器具前面と前面開口５との間の隙間を塞ぐ。
一方、サイドモール２０７を収納する場合は、トルクバネの付勢力に逆らって、サイドモール２０７を奥に押し込んでいくと、マグネットプレートの磁石の力によって、サイドモール２０７は器具側面にくっついて収納される。
また、上述した例では、磁石の力を用いてサイドモール２０７を器具側面に収納する例を示したが、これに限ったものではなく、例えば、周知のプッシュプッシュ機構を用いてサイドモール２０７を器具側面に収納するようにしても構わない。
【００１８】
【発明の効果】
以上詳述したように、本発明の請求項１記載のビルトインこんろによれば、サイドモールを収納部に収納して器具本体と一体的に形成しているため、従来のように別部材としている場合と違い、紛失や欠品（未入梱）といった問題は生じない。
【００１９】
更に、本発明の請求項２記載のビルトインこんろによれば、サイドモールは収納部から弾性体の付勢力によって露出するため、手で器具前面の左右と前面開口との間の隙間にはめ込む必要がなく、施工性が向上する。
しかも、サイドモールは、常に隙間を塞ぐ方向に押圧されるため、閉成状態が確実に維持される。
【図面の簡単な説明】
【図１】本実施形態としてのサイドモールのスライド移動を説明する図である（サイドモール収納時）。
【図２】本実施形態としてのサイドモールのスライド移動を説明する図である（サイドモール突出時）。
【図３】本実施形態としてのハートカム機構を説明する図である（サイドモール収納時）。
【図４】本実施形態としてのハートカム機構を説明する図である（サイドモール突出時）。
【図５】本実施形態としてのビルトインこんろをカウンタに組み込んだ状態を説明する図である。
【図６】別の実施形態としてのサイドモールの回転移動を説明する図である（サイドモール収納時）。
【図７】別の実施形態としてのサイドモールの回転移動を説明する図である（サイドモール突出時）。
【図８】従来例としてのビルトインこんろをカウンタに組み込んだ状態を説明する図である。
【図９】従来例としてのビルトインこんろの概略構成図である。
【符号の説明】
１…ビルトインこんろ、２…カウンタトップ、３…上面開口、４…カウンタ前面、５…前面開口、７…サイドモール、８…収納部、１４…付勢バネ。
【図１】
2004245444.tif 000003
【図２】
2004245444.tif 000004
【図３】
2004245444.tif 000005
【図４】
2004245444.tif 000006
【図５】
2004245444.tif 000007
【図６】
2004245444.tif 000008
【図７】
2004245444.tif 000009
【図８】
2004245444.tif 000010
【図９】
2004245444.tif 000011